(57)【要約】      （修正有）【課題】さそい動作を容易に行うことができる釣り用リールを提供する。【解決手段】釣り用リールは、リール本体と、スプールと、ハンドルと、回転検出部と、速度検出部と、表示部と、表示制御部と、を備えている。スプールは、リール本体に回転可能に支持されている。ハンドルは、リール本体の側部に回転可能に装着されている。回転検出部は、スプールの回転を検出する。速度検出部は、回転検出部の検出結果に基づいて、スプールの回転速度を検出する。表示部は、リール本体に配置され、スプールの回転速度に関する情報を表示する。表示制御部は、巻き取り方向及び送り出し方向にスプールが回転したときにおいて、速度検出部によって検出されたスプールの回転速度を、スプールの回転速度範囲に応じて予め設定された段数に変換して表示部に表示する。【選択図】図４
2020103303.tif 000002
【特許請求の範囲】
【請求項１】
釣り糸の巻き取り及び送り出しが可能な釣り用リールであって、
リール本体と、
前記リール本体の側部に回転可能に装着されたハンドルと、
前記リール本体に回転可能に支持されたスプールと、
前記スプールの回転を検出する回転検出部と、
前記回転検出部の検出結果に基づいて前記スプールの回転速度を検出する速度検出部と、
前記リール本体に配置され、前記スプールの回転速度に関する情報を表示する表示部と、
前記巻き取り方向及び前記送り出し方向に前記スプールが回転したときにおいて、前記速度検出部によって検出された前記スプールの回転速度を、前記スプールの回転速度範囲に応じて予め設定された段数に変換して前記表示部に表示する表示制御部と、
を備えた釣り用リール。
【請求項２】
前記回転検出部は、前記スプールの回転方向をさらに検出する、
請求項１に記載の釣り用リール。
【請求項３】
前記速度検出部は、前記回転検出部が前記スプールの回転方向の変化を検出したとき、前記スプールの回転方向の変化前に検出した前記スプールの回転を含めずに、前記スプールの回転方向の変化後に検出した前記スプールの回転に基づいて前記スプールの回転速度を検出する、
請求項２に記載の釣り用リール。
【発明の詳細な説明】
【技術分野】
【０００１】
本発明は、釣り用リールに関する。
【背景技術】
【０００２】
釣り用リールには、水深表示等を表示するためのディスプレイが設けられているものがある。例えば、引用文献１に記載の電動リールでは、ハンドルの回転に伴うスプールの回転速度に関する情報がディスプレイに表示される。これは、鯛等の魚を釣り上げるには、仕掛けを一定速度で動かす動作、いわゆる「さそい動作」が重要であり、ハンドル操作によってさそい動作を容易に行えるようにするためである。
【先行技術文献】
【特許文献】
【０００３】
【特許文献１】特開２０１５−１５９７５８号公報
【発明の概要】
【発明が解決しようとする課題】
【０００４】
従来の釣り用リールでは、ハンドルの回転に伴うスプールの回転速度、すなわち、釣り糸を巻き取る時のスプールの回転速度に関する情報はディスプレイに表示されるが、釣り糸が送り出される時のスプールの回転速度に関する情報はディスプレイに表示されない。このため、仕掛けを送り出す速度と、仕掛けを巻き上げる速度とを同じ速度で行うことが難しく、仕掛けを一定速度で動かすさそい動作を繰り返して行うことが困難である。
【０００５】
本発明の課題は、さそい動作を容易に行うことができる釣り用リールを提供することにある。
【課題を解決するための手段】
【０００６】
本発明の一側面に係る釣り用リールは、釣り糸の巻き取り及び送り出しが可能であって、リール本体と、ハンドルと、スプールと、回転検出部と、速度検出部と、表示部と、表示制御部と、を備えている。ハンドルは、リール本体の側部に回転可能に装着されている。スプールは、リール本体に回転可能に支持されている。回転検出部は、スプールの回転を検出する。速度検出部は、回転検出部の検出結果に基づいて、スプールの回転速度を検出する。表示部は、リール本体に配置され、スプールの回転速度に関する情報を表示する。表示制御部は、巻き取り方向及び送り出し方向にスプールが回転したときにおいて、速度検出部によって検出されたスプールの回転速度を、スプールの回転速度範囲に応じて予め設定された段数に変換して表示部に表示する。
【０００７】
この釣り用リールでは、スプールが巻き取り方向に回転しているときの回転速度と、スプールが送り出し方向に回転しているときの回転速度とにおいて、それぞれの回転速度の速度範囲に応じて予め設定された段数が、ともに同じ速度範囲の段数になるように設定されている。このため、スプールが巻き取り方向及び送り出し方向のどちらの方向に回転したとしても、スプールの回転速度が同じ回転速度範囲にあれば、スプールの回転方向に関係なく同じ段数が表示部に表示される。これにより、釣り糸の巻き取り速度と送り出し速度とを視覚的に判断することができるだけでなく、仕掛けを一定速度で動かすさそい動作を容易に行うことができる。
【０００８】
好ましくは、回転検出部は、スプールの回転方向をさらに検出する。この場合は、スプールが回転している方向の回転速度を検出することができる。
【０００９】
好ましくは、速度検出部は、回転検出部がスプールの回転方向の変化を検出したとき、スプールの回転方向の変化前に検出したスプールの回転を計上せずに、スプールの回転方向の変化後に検出したスプールの回転に基づいてスプールの回転速度を検出する。この場合は、スプールの回転方向が変化した後の回転に基づいてスプールの回転速度が検出されるため、スプールの回転速度をより正確に検出することができる。
【００１０】
本発明の他の側面に係る釣り用リールは、釣り糸の巻き取り及び送り出しが可能であって、リール本体と、ハンドルと、スプールと、回転検出部と、速度検出部と、表示部と、表示制御部と、を備えている。ハンドルは、リール本体の側部に回転可能に装着されている。スプールは、リール本体に回転可能に支持されている。回転検出部は、スプールの回転を検出する。速度検出部は、回転検出部の検出結果に基づいて、釣り糸の巻き取り速度及び釣り糸の送り出し速度を検出する。表示部は、リール本体に配置され、釣り糸の巻き取り速度及び釣り糸の送り出し速度に関する情報を表示する。表示制御部は、巻き取り方向及び送り出し方向にスプールが回転したときにおいて、速度検出部によって検出された釣り糸の巻き取り速度及び釣り糸の送り出し速度を、釣り糸の巻き取り速度及び釣り糸の送り出し速度の速度範囲に応じて予め設定された段数に変換して表示部に表示する。
【００１１】
この釣り用リールでは、釣り糸の巻き取り速度と釣り糸の送り出し速度とにおいて、それぞれの速度範囲に応じて予め設定された段数が、ともに同じ速度範囲の段数になるように設定されている。このため、スプールが巻き取り方向及び送り出し方向のどちらの方向に回転したとしても、釣り糸の巻き取り速度と釣り糸の送り出し速度とが同じ速度範囲にあれば、スプールの回転方向に関係なく同じ段数が表示部に表示される。これにより、釣り糸の巻き取り速度と送り出し速度とを視覚的に判断することができるだけでなく、仕掛けを一定速度で動かすさそい動作を容易に行うことができる。
【発明の効果】
【００１２】
本発明によれば、さそい動作を容易に行うことができる釣り用リールを提供することができる。
【図面の簡単な説明】
【００１３】
【図１】本発明の一実施形態が採用された両軸受リールの斜視図。
【図２】両軸受リールの制御系の構成を示すブロック図。
【図３】カウンターユニットの平面図。
【図４】表示処理の制御内容の一例を示したフローチャート。
【図５】他の実施形態に係る図４に相当する図。
【発明を実施するための形態】
【００１４】
本発明の一実施形態が採用された釣り用リール１００は、釣り糸の巻き取り及び送り出しが可能な両軸受リールである。
【００１５】
釣り用リール１００は、図１に示すように、リール本体１と、スプール２と、ハンドル３と、第１カウンターユニット４と、第２カウンターユニット５と、を備えている。
【００１６】
リール本体１は、フレーム６と、フレーム６の両側部を覆う第１側カバー７及び第２側カバー８と、を有している。
【００１７】
スプール２は、第１側カバー７と第２側カバー８との間に配置され、リール本体１に回転可能に支持されている。
【００１８】
ハンドル３は、リール本体１の第１側カバー７の側部に回転可能に装着されている。ハンドル３の回転に伴って、図示しない回転伝達機構を介してスプール２が釣り糸巻き取り方向に回転する。なお、ハンドル３は、図示しない逆転防止機構によって釣り糸の送り出し方向の回転が禁止されている。
【００１９】
第１カウンターユニット４は、リール本体１の上部に配置されている。第１カウンターユニット４は、図２及び図３に示すように、制御部１１と、表示部１２と、記憶部１３、スイッチ操作部１４と、を有している。
【００２０】
制御部１１は、速度検出部１５と、水深算出部１６と、表示制御部１７と、を有している。制御部１１は、マイクロコンピュータを含み、ソフトウェアによって速度検出部１５、水深算出部１６及び表示制御部１７を制御する。速度検出部１５は、後述する回転検出部１９からの信号を受けて、スプール２の回転速度を検出する。具体的には、例えば、所定時間毎のスプール２の平均回転数、又はスプール２の所定回転数毎の平均時間を元にスプール２の回転速度を算出して、スプール２の回転速度を検出する。
【００２１】
水深算出部１６は、仕掛けが配置された水深をスプール２から送り出された糸長によって算出する。具体的には、後述する記憶部１３に予め記憶されたスプール２の回転数と水深との関係から、スプール２が所定位置から何回転したかを元に水深を算出する。
【００２２】
表示制御部１７は、速度検出部１５によって検出されたスプール２の回転速度を、スプール２の回転速度範囲に応じて予め設定された所定の段数に変換して表示部１２に表示する。また、表示制御部１７は、水深算出部１６によって算出された水深を表示部１２に表示する。
【００２３】
表示部１２は、図１及び図３に示すように、第１カウンターユニット４の上面に配置された液晶ディスプレイである。表示部１２には、数値、記号、及び一部のアルファベットが表示可能であり、水深やスプール２の回転速度範囲に応じて予め設定された段数などが状況に応じて表示される。
【００２４】
例えば、ここではスプール２の回転速度範囲が１１の段数に分かれて設定されている。スプール２が回転しているとき、表示部１２にはこの段数に対応する０〜１０の数字が表示される。図３（ｂ）は、スプール２の回転速度が、３の段数の回転速度範囲にあるときの状態を示している。予め設定されたスプール２の巻き取り方向及び送り出し方向のそれぞれの回転速度範囲及び回転速度範囲に応じた段数は、回転方向に関係なく同じ設定である。
【００２５】
具体的なスプール２の回転速度範囲は、例えば、スプールの回転速度が毎秒０回転以上−５回転未満のときは段数０、毎秒５回転以上１０回転未満のときは段数１、といったように段数が１つ増える毎にスプールの回転速度範囲が毎秒５回転ずつ増えていき、毎秒６０回転以上を越える回転速度になると上限の段数１０が表示される。これは、スプールの回転層度範囲の一例であり、スプールの回転速度範囲はこれに限定されるものではなく、リール本体やスプールの大きさ等によって適宜変更される。
【００２６】
記憶部１３は、例えば、書き換え可能なフラッシュメモリで構成されている。記憶部１３には、工場出荷時において、釣り用リール１００のスプール２の大きさ、釣り糸の太さ及びスプール２に釣り糸を巻き付けたときのスプール２の回転数と、糸の長さとの関係が少なくとも一つ記憶されている。なお、これらの関係を、公知の学習処理によって記憶部１３に記憶させてもよい。
【００２７】
スイッチ操作部１４は、表示部１２の右側（第１側カバー７側）に配置されている。スイッチ操作部１４は、例えば押しボタンで構成されている。このスイッチ操作部１４を異なる操作方法（例えば、長押し及びダブルクリック）で操作することによって各種の設定操作を行うことができる。
【００２８】
第２カウンターユニット５は、リール本体１の第２側カバー８側に設けられている。第２カウンターユニット５は、第１カウンターユニット４に電気配線によって接続されている。第２カウンターユニット５は、電源１８と、回転検出部１９と、を有している。
【００２９】
電源１８は、例えば、円板形のアルカリ電池又はリチウム乾電池であり、第２カウンターユニット５の内部に収納されている。
【００３０】
回転検出部１９は、回転検出部１９に対向する位置に設けられた磁石（図示しない）を検出可能なリードスイッチ又はホール素子を有している。回転検出部１９は、スプール２の回転を検出する。詳細には、回転検出部１９は、スプール２の回転数を検出して制御部１１に信号を出力する。また、回転検出部１９は、スプール２の回転方向を検出する。詳細には、回転検出部１９は、スプール２が巻き取り方向及び送り出し方向のいずれの方向に回転しているかを検出して制御部１１に信号を出力する。
【００３１】
次に、表示部１２に段数が表示されるまでの制御部１１の表示処理の一例を図４に示すフローチャートを参照して説明する。なお、本発明は、図４に開示された制御動作に限定されない。
【００３２】
まず、ステップＳ１で回転検出部１９からの出力によってスプール２の回転が検出されたか否かを判断する。スプール２の回転が検出されなければ、表示処理は実行されない。スプール２の回転が検出されたと判断すると、ステップＳ２へ移行する。
【００３３】
ステップＳ２では、回転検出部１９からの出力によってスプール２が巻き取り方向及び送り出し方向のいずれの方向に回転しているかを判断して、次のステップＳ３へ移行する。
【００３４】
ステップＳ３では、回転検出部１９からの出力によって、スプール２の回転方向がステップＳ２で検出したスプール２の回転方向から変化したか否かを判断する。スプール２の回転方向が変化していない、すなわち、ステップＳ２で検出した回転方向と同じ方向にスプール２が回転していると判断すると、ステップＳ４へ移行する。
【００３５】
ステップＳ４では、速度検出部１５によって、スプール２の回転速度を回転検出部１９からの出力に基づいて検出する。その後、ステップＳ６へ移行する。
【００３６】
ステップＳ３で、ステップＳ２で検出したスプール２の回転方向が変化したと判断すると、ステップＳ５へ移行する。
【００３７】
ステップＳ５では、速度検出部１５によって、スプール２の回転方向が変化した後のスプール２の回転速度を回転検出部１９からの出力に基づいて検出する。その後、ステップＳ６へ移行する。
【００３８】
ステップＳ６では、スプール２の回転速度範囲に応じて予め設定された段数（ここでは１〜１０の段数）の中から、ステップＳ４又はステップＳ５において検出されたスプール２の回転速度に応じた段数を記憶部１３から読み出す。その後、ステップＳ７へ移行する。
【００３９】
ステップＳ７では、ステップＳ６で記憶部１３から読み出した段数を表示部１２に表示させる。
【００４０】
ここでは、ステップＳ６で読み出される予め設定された段数は、スプール２の回転方向に関係なく、スプール２の回転速度範囲に応じて設定された段数が表示部１２に表示される。そして、スプールが巻き取り方向に回転しているときの回転速度と、スプールが送り出し方向に回転しているときの回転速度とにおいて、それぞれの回転速度の速度範囲に応じて予め設定された段数は、ともに同じ段数になるように設定されている。このため、スプール２が巻き取り方向及び送り出し方向のどちらの方向に回転したとしても、スプール２の回転速度が同じ回転速度範囲にあれば、表示部１２に表示される段数は同じになる。
【００４１】
具体的には、例えば、スプール２が巻き取り方向に回転速度範囲Ｖの範囲内の速度で回転しているときに、図３（ｂ）に示すように、３の段数に対応する数字の３が表示部１２に表示されるとする。この場合において、スプール２が送り出し方向に回転速度範囲Ｖの範囲内の速度で回転しているときにも３の段数に対応する数字の３が表示部１２に表示される。これにより、釣り糸の巻き取り速度と送り出し速度とを視覚的に判断することができるだけでなく、仕掛けを一定速度で動かすさそい動作を容易に行うことができる。
【００４２】
また、ここでは、ステップＳ２で回転方向を検出して、ステップＳ３で回転方向の変化を検出することで、スプール２の回転速度をより正確に検出することができる。詳細には、例えばスプール２の回転方向が、巻き取り方向から送り出し方向に変化したときにおいて、速度検出部１５が送り出し方向の回転速度を検出するときに、回転方向が変化する直前の巻き取り方向の回転速度が計上されてしまい、正確な送り出し方向の回転速度が検出できない恐れがある。そうなると、実際の送り出し方向の回転速度と、表示部１２に表示される段数とが一致しないといった問題が生じる。
【００４３】
この問題を解決するために、ステップＳ３で回転方向の変化を検出した場合は、ステップＳ５で回転方向が変化するまでの回転を含めずに、回転方向が変化した後のスプール２の回転に基づいてスプール２の回転速度が検出される。これにより、スプール２の回転速度をより正確に検出することができる。これは、スプール２の回転方向が、送り出し方向から巻き取り方向に変化したときにおいても同様の効果がある。
【００４４】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００４５】
（ａ）前記実施形態では、スプール２の回転方向を検出して、スプール２の回転速度を検出していたが、必ずしも回転方向を検出する必要はない。図５のフローチャートに示すように、スプール２の回転を検出（ステップＳ１１）した場合、スプールの回転方向に関係なくスプール２の回転速度を検出（ステップＳ１２）して、回転速度に応じた段数を読み出して（ステップＳ１３）、読み出した段数を表示部１２に表示（ステップＳ１４）するように制御してもよい。
【００４６】
（ｂ）  前記実施形態では、スプール２の回転速度範囲に応じて段数が設定されていたが、スプール２の回転速度範囲ではなく、釣り糸の巻き取り速度及び送り出し速度の速度範囲に応じて段数を設定してもよい。この場合は、速度検出部１５によって、釣り糸の巻き取り速度及び送り出し速度が回転検出部１９の検出結果に基づいて検出され（ステップＳ４，ステップＳ１２）、検出された速度に応じた段数が表示部１２に表示される。速度検出部１５は、例えば、スプール２の所定位置からの回転数とスプール２の回転速度とを比較することで、釣り糸の巻き取り速度及び送り出し速度を算出する。なお、釣り糸の巻き取り速度と釣り糸の送り出し速度との速度範囲に応じて予め設定された段数は、ともに同じ段数になるように設定されている。段数に応じた具体的な速度範囲は、例えば、段数０は０−２０ｃｍ/秒未満のとき、段数１は２０−４０ｃｍ/秒未満のとき、といったように段数が１つ増える毎におおよそ２０ｃｍ/秒ずつ増えていき、２２０ｃｍ/秒を超えると上限の段数１０が表示される。
【００４７】
（ｃ）前記実施形態では両軸受リールを例に本発明を説明したが、本発明はこれに限定されない。スピニングリール、片軸受リール、スピンキャストリール、及び手巻き操作可能な電動リール等のハンドルを手で回す全ての釣り用リールに本発明を適用できる。
【００４８】
（ｄ）前記実施形態では、スプール２の回転速度範囲に応じて予め段数が設定されていたが、スプール２の回転速度範囲および回転速度範囲に応じた段数をユーザが自由に設定できるようにしてもよい。
【符号の説明】
【００４９】
１  リール本体
２  スプール
３  ハンドル
１２  表示部
１５  速度検出部
１７  表示制御部
１９  回転検出部
１００  釣り用リール
【図１】
2020103303.tif 000003
【図２】
2020103303.tif 000004
【図３】
2020103303.tif 000005
【図４】
2020103303.tif 000006
【図５】
2020103303.tif 000007
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
釣り糸の巻き取り及び送り出しが可能な釣り用リールであって、
リール本体と、
前記リール本体の側部に回転可能に装着されたハンドルと、
前記リール本体に回転可能に支持されたスプールと、
前記スプールの回転を検出する回転検出部と、
前記回転検出部の検出結果に基づいて前記スプールの回転速度を検出する速度検出部と、
前記リール本体に配置され、前記スプールの回転速度に関する情報を表示する表示部と、
前記巻き取り方向及び前記送り出し方向に前記スプールが回転したときにおいて、前記速度検出部によって検出された前記スプールの回転速度を、前記スプールの回転速度範囲に応じて予め設定された段数に変換して前記表示部に表示する表示制御部と、
前記段数に対応する前記回転速度範囲を変更設定可能な設定手段と、
を備えた釣り用リール。
【請求項２】
前記回転検出部は、前記スプールの回転方向をさらに検出する、
請求項１に記載の釣り用リール。
【請求項３】
前記速度検出部は、前記回転検出部が前記スプールの回転方向の変化を検出したとき、前記スプールの回転方向の変化前に検出した前記スプールの回転を含めずに、前記スプールの回転方向の変化後に検出した前記スプールの回転に基づいて前記スプールの回転速度を検出する、
請求項２に記載の釣り用リール。
【請求項４】
釣り糸の巻き取り及び送り出しが可能な釣り用リールであって、
リール本体と、
前記リール本体の側部に回転可能に装着されたハンドルと、
前記リール本体に回転可能に支持されたスプールと、
前記スプールの回転及び回転方向を検出する回転検出部と、
前記回転検出部の検出結果に基づいて前記スプールの回転速度を検出する速度検出部と、
前記リール本体に配置され、前記スプールの回転速度に関する情報を表示する表示部と、
前記巻き取り方向及び前記送り出し方向に前記スプールが回転したときにおいて、前記速度検出部によって検出された前記スプールの回転速度を、前記スプールの回転速度範囲に応じて予め設定された段数に変換して前記表示部に表示する表示制御部と、
を備え、
前記速度検出部は、前記回転検出部が前記スプールの回転方向の変化を検出したとき、前記スプールの回転方向の変化前に検出した前記スプールの回転を含めずに、前記スプールの回転方向の変化後に検出した前記スプールの回転に基づいて前記スプールの回転速度を検出する、釣り用リール。